(57)【要約】【課題】互いを連結する際に物の落下を防止できる足場板を提供する。【解決手段】  足場板１は、長辺２と短辺３を有する矩形の足場板本体４と、足場板本体４の一方の長辺２ａに設けられた第１連結部と、足場板本体４の他方の長辺２ｂに設けられた第２連結部を備える。第１連結部は、一方の長辺２ａに連なる端面から突出すると共に、長辺２ａの全長に亘って延在する突出部５を有する。第２連結部は、他方の長辺２ｂに連なる端面に形成され、長辺２ｂの全長に亘って延在する挿入穴６を有する。第１の足場板１の第１連結部の上に、第２の足場板１を第２連結部が接するように鉛直方向を向けて配置し、この第２の足場板１を回転させて第１の足場板１と同一平面上に配置し、第１の足場板１に引き寄せて、第１の足場板１と第２の足場板１を連結する。足場板１の相互を連結する工程で、第１の連結部と第２の連結部の間に隙間が形成されることが無い。【選択図】図１
2020190077.tif 000002
【特許請求の範囲】
【請求項１】
長辺と短辺を有する矩形の板状の足場板本体と、
上記足場板本体の一方の長辺に設けられ、この端面から突出すると共に長辺の全長に亘って延在する突出部を有する第１連結部と、
上記足場板本体の他方の長辺に設けられ、短辺方向に隣接して配置される足場板の上記突出部が挿入されると共に長辺の全長に亘って延在する挿入穴を有する第２連結部と
を備えることを特徴とする足場板。
【請求項２】
請求項１に記載の足場板において、
上記第１連結部の突出部の先端に、上記足場板の表面側に突出した突起を有することを特徴とする足場板。
【請求項３】
請求項２に記載の足場板において、
上記第２連結部の挿入穴の縁に、上記挿入穴の内側に突出した突起を有することを特徴とする足場板。
【請求項４】
請求項１に記載の足場板において、
上記第１連結部の突出部の表面に、隣接して配置される足場板の第２連結部の挿入穴の縁部が係合する凹部を有することを特徴とする足場板。
【請求項５】
請求項１に記載の足場板において、
上記第２連結部が設けられた長辺の近傍に、この第２連結部の挿入穴内に挿入された上記第１連結部の突出部を上記挿入穴内から離脱不可に固定する固定機構が設けられていることを特徴とする足場板。
【請求項６】
請求項５に記載の足場板において、
上記固定機構は、上記足場板本体内の上記挿入穴の上側に設けられ、上記挿入穴に連通する連通穴が一部に形成された案内通路と、この案内通路内を移動可能かつ上記連通穴に挿通可能に形成された固定具とを有し、
上記第１連結部の突出部には、上記固定具が挿入可能な固定用挿入穴が形成され、
上記第２連結部の挿入穴内に上記第１連結部の突出部が挿入されたとき、この突出部の固定用挿入穴に、上記案内通路の連通穴内に挿通された固定具の先端部が挿入されることにより、この固定具で第１連結部の突出部と第２連結部の挿入穴とが係合されて固定されることを特徴とする足場板。
【請求項７】
請求項６に記載の足場板において、
上記固定機構の固定具が、上記足場板本体の表面に形成された操作穴を通して、上記連通穴に対する挿通と離脱が操作可能に形成されていることを特徴とする足場板。
【請求項８】
請求項１に記載の足場板において、
上記足場板本体の短辺に、隣接して配置される足場板の短辺と連結するための短辺連結部を備え、
上記短辺連結部は、
上記足場板本体の短辺の端面に形成された開口と、
上記開口から出没可能に形成された短辺連結体と、
上記足場板本体の内側に形成され、上記開口に連通して上記短辺連結体が通過すると共に、隣接した足場板の短辺連結部の短辺連結体が挿入される通路兼挿入室と、
上記通路兼挿入室の奥側に連なって上記短辺連結体を収容する収容室と、
上記通路兼挿入室に挿入された短辺連結体を固定する固定機構と
を有することを特徴とする足場板。
【請求項９】
請求項１に記載の足場板において、
上記足場板本体が、長辺方向に延びる複数の中空形材が短辺方向に配列され、かつ、互いに嵌合して形成されていることを特徴とする足場板。
【請求項１０】
請求項９に記載の足場板において、
上記足場板本体を形成する中空形材が、アルミニウム製の押出形材であることを特徴とする足場板。
【請求項１１】
請求項９に記載の足場板において、
上記足場板本体が、隣接する中空形材の間の嵌合長さが短辺方向に変更可能に形成され、かつ、上記短辺方向の嵌合長さが長辺方向の異なる位置で異なる長さに設定可能に形成されていることを特徴とする足場板。
【請求項１２】
請求項９に記載の足場板において、
上記中空形材の内側に、環状の支持金具が、上記足場板本体の表面に形成された金具穴から出没可能に収容されていることを特徴とする足場板。
【請求項１３】
請求項９に記載の足場板において、
上記第２連結部が設けられた長辺を形成する中空形材の内側に、上記第２連結部の挿入穴内に挿入された上記第１連結部の突出部を上記挿入穴内から離脱不可に固定する固定機構のアッセンブリブロックが、嵌合して収容されていることを特徴とする足場板。
【発明の詳細な説明】
【技術分野】
【０００１】
本発明は、建設工事や補修工事等で用いられる足場板に関する。
【背景技術】
【０００２】
橋梁の補修工事を行う場合、高所に存在する床版や橋桁の下側で作業を行うために、吊り足場を設置している。吊り足場としては、橋桁に複数のチェーンを固定し、これらのチェーンの下端に足場板を接続し、複数の上記足場板を水平方向に順次連結して形成されるものがある。このような吊り足場を形成するための足場板として、従来、図１６Ａ及び図１６Ｂに示すようなものがある。
【０００３】
図１６Ａは従来の足場板１００の平面図であり、図１６Ｂは従来の足場板１００の側面図である。従来の足場板１００は概ね正方形に形成され、棒部材を矩形に組み合わせて形成された枠組１０１と、この枠組１０１の表面に張られた板状の床材１０２で大略構成されている。この足場板１００は、複数の足場板１００を互いに連結するための連結部が、一方の辺と、この辺に対向する他方の辺に形成されている。一辺の連結部には、この辺と直角に突出した棒状の預け金具１０３が設けられている一方、他辺の連結部は、この辺と平行に延びる受け金具１０４が設けられている。預け金具１０３は、側面視において、先端側が上方に開口を有すると共に基端側が長穴状に形成された概ね鉤型形状を有し、連結部が形成された辺の両端部に夫々設置されている。受け金具１０４は、平面視において連結部が形成された辺と平行に延びる棒部材で形成され、連結部が形成された辺の両端部に夫々設置されている。
【０００４】
上記従来の足場板１００で吊り足場を形成する場合、まず図１７Ａで示すように、橋梁の主桁１０７に固定されて垂下したチェーン１０８Ａ，１０８Ａに、第１の足場板１００Ａを取り付ける。続いて、第１の足場板１００Ａ上に第２の足場板１００Ｂを搬入し、第１の足場板１００Ａ上で、作業者１０９が第２の足場板１００Ｂを連結する作業を行う。このとき、作業者１０９は、図１７Ａに示すように、第２の足場板１００Ｂを略鉛直方向に向けて、連結部を第１の足場板１００Ａの連結部に係合させる。詳しくは、第２の足場板１００Ｂの受け金具１０４を、第１の足場板１００Ａの預け金具１０３の開口から挿入し、預け金具１０３の開口と対向する部分に接するように配置する。また、第２の足場板１００Ｂの預け金具１０３の近傍に、主桁１０７に固定されたチェーン１０８Ｂの下端を接続する。
【０００５】
この後、図１７Ｂに示すように、第２の足場板１００Ｂを、重力によって受け金具１０４回りに回転させ、チェーン１０８Ｂを伸張させて、第１の足場板１００Ａと同一平面上に向ける。続いて、第２の足場板１００Ｂを第１の足場板１００Ａの側に引き寄せ、第２の足場板１００Ｂの受け金具１０４を、第１の足場板１００Ａの預け金具１０３の長穴部分でスライドさせる。これにより、第２の足場板１００Ｂの連結部を、第１の足場板１００Ａの連結部に密着させて、第１の足場板１００Ａへの第２の足場板１００Ｂの連結作業が完了する。このような足場板１００の搬入と連結を繰り返すことにより、吊り足場が構築される。
【０００６】
上記足場板１００により、橋梁に沿ってカーブした吊り足場を形成する場合、隣り合う足場板１００の連結部の間に、楔状の隙間が形成される。この隙間を塞ぐために、足場板１００の上に隙間塞ぎ材を載置して固定している。
【先行技術文献】
【特許文献】
【０００７】
【特許文献１】特開２０１８−２０４３３３号公報
【発明の概要】
【発明が解決しようとする課題】
【０００８】
しかしながら、上記従来の足場板１００は、第２の足場板１００Ｂを第１の足場板１００Ａ上に鉛直方向に向けて配置し、重量で回転させて水平方向に向け、第１の足場板１００Ａの側に引き寄せる間、互いの足場板１００Ａ，１００Ｂの連結部の間に、図１８に示すような隙間１１０が形成される。この隙間１１０から、番線や金物や工具等のような、作業に用いる物が落下する恐れがある。特に、都市高速道路の高架橋のように、下方に人や車両が多く存在する場所に吊り足場を設置する場合、隙間１１０からの落下物は、番線のような軽量なものであっても、大きな問題を発生させる恐れがある。
【０００９】
また、上記従来の足場板１００は、連結部が形成された辺の両端に設けられた預け金具１０３と受け金具１０４により、隣り合う足場板１００Ａ，１００Ｂを連結するので、足場板１００Ａ，１００Ｂが一体化され難い問題がある。詳しくは、足場板１００Ａ，１００Ｂは、辺の両端に設けられた預け金具１０３と受け金具１０４で連結され、これらの預け金具１０３と受け金具１０４は点接触であるため、上記辺の直角方向にモーメント荷重が伝達されない。したがって、第１の足場板１００Ａに比較的質量の大きい物が載置された場合、図１９の正面図に示すように、第１の足場板１００Ａの中央が撓んで第２の足場板１００Ｂとの間に段差１１１が形成される。また、図２０の側面図に示すように、第１の足場板１００Ａと第２の足場板１００Ｂとの間に比較的大きな角度変位θが形成される。その結果、作業者や台車が足場板１００Ａ，１００Ｂの間を移動するときに、作業者の躓きや、台車の停止が発生する恐れがある。
【００１０】
また、上記従来の足場板１００は、吊り足場を形成したとき、矩形の枠組１０１が下側に露出するため、下方から視たときの美観が悪いという問題がある。
【００１１】
また、上記従来の足場板１００は、枠組１０１と床材１０２で構成されるため、特に枠組１０１に鋼等の強度の高い材質を採用する必要があり、質量の増加を招く不都合がある。
【００１２】
さらに、上記従来の足場板１００は、カーブした吊り足場を形成する際、足場板１００の相互間に形成される隙間を塞ぐため、別部品である隙間塞ぎ材を配置する作業が必要であり、手間がかかる問題がある。また、吊り足場を形成するための部品点数が増える問題がある。また、隙間塞ぎ材を配置する作業において、隙間から部品や工具等が落下する恐れがある。
【００１３】
そこで、本発明の課題は、互いを連結する際に物の落下を防止できる足場板を提供することにある。また、連結部分の剛性を従来よりも高くでき、段差や角度変位を縮小できる足場板を提供することにある。また、吊り足場を形成したときに、下方から視た美観を向上できる足場板を提供することにある。また、従来よりも軽量かつ強度の高い足場板を提供することにある。また、湾曲した吊り足場を、隙間を形成することなく形成できる足場板を提供することにある。
【課題を解決するための手段】
【００１４】
上記課題を解決するため、本発明の足場板は、
長辺と短辺を有する矩形の板状の足場板本体と、
上記足場板本体の一方の長辺に設けられ、この端面から突出すると共に長辺の全長に亘って延在する突出部を有する第１連結部と、
上記足場板本体の他方の長辺に設けられ、短辺方向に隣接して配置される足場板の上記突出部が挿入されると共に長辺の全長に亘って延在する挿入穴を有する第２連結部と
を備えることを特徴としている。
【００１５】
上記構成によれば、先に配置された第１の足場板の短辺方向に、第２の足場板を配列して連結するとき、第１の足場板の第１連結部の突出部の上に、第２の足場板の第２連結部が設けられた端面が接するように、この第２の足場板を立設状態で配置する。このとき、立設して配置された第２の足場板の第２連結部の挿入穴が、第１の足場板の第１連結部の突出部の先端を臨むように形成されているのが好ましい。続いて、上記第２の足場板を、上記第１の足場板の第１連結部の突出部の上で回転させて倒すことにより、上記第１の足場板の第１連結部の突出部の先端が、上記第２の足場板の第２連結部の挿入穴の内側に挿入される。この後、上記第２の足場板を第１の足場板に引き寄せ、上記第２の足場板の足場板本体の端面を、上記第１の足場板の足場板本体の端面に密着させることにより、上記第２の足場板が第１の足場板に連結される。これらの工程において、上記第１の足場板の第１連結部の突出部と、上記第２の足場板の第２連結部の挿入穴は、いずれも長辺の全長に亘って延在するので、第１の足場板と、第２の足場板との間に、隙間が形成されることがない。したがって、複数の足場板で吊り足場を形成する作業中に、足場板の相互の隙間から物が落下する不都合を、効果的に防止することができる。
【００１６】
また、上記第１の足場板と第２の足場板は、第１の足場板の長辺の全長に亘って延在する突出部が、第２の足場板の長辺の全長に亘って延在する挿入穴に嵌合して連結される。したがって、第１の足場板と第２の足場板は、辺の両端で連結されるよりも、高い剛性で連結される。これにより、第１の足場板と第２の足場板の間に段差が形成される不都合を防止でき、また、第１の足場板と第２の足場板の間に形成される角度変位を低減できる。その結果、作業者や台車が足場板の相互間を移動するときに、作業者の躓きや、台車の停止が発生する不都合を、効果的に防止できる。
【００１７】
一実施形態の足場板は、上記第１連結部の突出部の先端に、上記足場板の表面側に突出した突起を有する。
【００１８】
上記実施形態によれば、先に配置された第１の足場板に第２の足場板を連結する工程で、第１の足場板の第１連結部の突出部が第２の足場板の挿入穴に挿入されたとき、第２の足場板が第１の足場板から離れる方向の力を受けても、第１連結部の突出部の先端に設けられた突起が、第２連結部の挿入穴の内側に係合することにより、第１の足場板から第２の足場板が離れることを防止できる。したがって、第１の足場板と第２の足場板との間に隙間が形成される不都合を防止できる。
【００１９】
一実施形態の足場板は、上記第２連結部の挿入穴の縁に、上記挿入穴の内側に突出した突起を有する。
【００２０】
上記実施形態によれば、先に配置された第１の足場板に第２の足場板を連結する工程で、第１の足場板の第１連結部の突出部が第２の足場板の挿入穴に挿入されたとき、第２の足場板が第１の足場板から離れる方向の力を受けても、第２連結部の挿入穴の縁に設けられた突起が、第１連結部の突出部の突起に係合する。これにより、第１の足場板から第２の足場板が離れることを防止できる。したがって、第１の足場板と第２の足場板との間に隙間が形成される不都合を防止できる。
【００２１】
一実施形態の足場板は、上記第１連結部の突出部の表面に、隣接して配置される足場板の第２連結部の挿入穴の縁部が係合する凹部を有する。
【００２２】
上記実施形態によれば、先に配置された第１の足場板に第２の足場板を連結する工程で、第１の足場板の第１連結部の突出部の上に、第２の足場板が、この第２の足場板の第２連結部が設けられた端面が接するように立設状態で配置される。この後、第２の足場板が倒される際、この第２の足場板の第２連結部に設けられた挿入穴の縁部が、上記第１の足場板の第１連結部の突出部の凹部に係合することにより、第２の足場板は、第１の足場板の第１連結部の突出部上で安定して回転する。したがって、第２の足場板を、第１の足場板との間に隙間を形成することなく倒すことができ、第１の足場板の同一平面上に配置することができる。
【００２３】
一実施形態の足場板は、上記第２連結部が設けられた長辺の近傍に、この第２連結部の挿入穴内に挿入された上記突出部を上記挿入穴内から離脱不可に固定する固定機構が設けられている。
【００２４】
上記実施形態によれば、第１の足場板に第２の足場板を連結する工程で、第１の足場板の第１連結部の突出部が、第２の足場板の第２連結部の挿入穴に挿入され、固定機構によって、上記突出部が挿入穴内から離脱不可に固定される。これにより、第１の足場板に第２の足場板を分離不可に固定することができる。
【００２５】
一実施形態の足場板は、上記固定機構は、上記足場板本体内の上記挿入穴の上側に設けられ、上記挿入穴に連通する連通穴が一部に形成された案内通路と、この案内通路内を移動可能かつ上記連通穴に挿通可能に形成された固定具とを有し、
上記第１連結部の突出部には、上記固定具が挿入可能な固定用挿入穴が形成され、
上記第２連結部の挿入穴内に上記第１連結部の突出部が挿入されたとき、この突出部の固定用挿入穴に、上記案内通路の連通穴内に挿通された固定具の先端部が挿入されることにより、この固定具で第１連結部の突出部と第２連結部の挿入穴とが係合されて固定される。
【００２６】
上記実施形態によれば、第２連結部の挿入穴内に挿入された第１連結部の突出部を固定するための固定機構が、足場板本体内の挿入穴の上側に設けられた案内通路と、この案内通路内を移動可能な固定具を有する。上記案内通路は、上記挿入穴に連通する連通穴が一部に形成されている一方、上記固定具は、上記連通穴に挿通可能に形成されている。また、上記第１連結部の突出部には、上記固定具が挿入可能な固定用挿入穴が形成されている。第１の足場板に第２の足場板を連結する工程で、第２の足場板の第２連結部の挿入穴内に、第１の足場板の第１連結部の突出部が挿入された後、上記案内通路の固定具が連通穴内に挿通されると共に、この連通穴内に挿通された固定具の先端部が固定用挿入穴に挿入される。これにより、上記固定具で第１連結部の突出部と第２連結部の挿入穴とを係合して固定することができる。
【００２７】
一実施形態の足場板は、上記固定機構の固定具が、上記足場板本体の表面に形成された操作穴を通して、上記連通穴に対する挿通と離脱が操作可能に形成されている。
【００２８】
上記実施形態によれば、固定機構の固定具が、足場板本体の表面に形成された操作穴を通して、連通穴に対する挿通と離脱が操作可能であるので、足場板上の作業者によって、足場板相互の固定と解除の作業を、容易かつ安全に行うことができる。ここで、上記固定具は、上記操作穴を通して挿入されたシノ等の先端が尖った工具で操作可能なように、操作用の係合穴が形成されているのが好ましい。
【００２９】
一実施形態の足場板は、上記足場板本体の短辺に、隣接して配置される足場板の短辺と連結するための短辺連結部を備え、
上記短辺連結部は、
上記足場板本体の短辺の端面に形成された開口と、
上記開口から出没可能に形成された短辺連結体と、
上記足場板本体の内側に形成され、上記開口に連通して上記短辺連結体が通過すると共に、隣接した足場板の短辺連結部の短辺連結体が挿入される通路兼挿入室と、
上記通路兼挿入室の奥側に連なって上記短辺連結体を収容する収容室と、
上記通路兼挿入室に挿入された短辺連結体を、上記通路兼挿入室内から離脱不可に固定する固定機構と
を有する。
【００３０】
上記実施形態によれば、足場板本体の短辺に、隣接して配置される足場板の短辺と連結するための短辺連結部を備えるので、短辺が接するように長辺方向に配置された足場板を相互に連結することができる。ここで、上記短辺連結部は、足場板本体の短辺の端面に形成された開口と、この開口から出没可能に形成された短辺連結体と、上記足場板本体の内側に形成され、上記開口に連通して上記短辺連結体が通過すると共に、隣接した足場板の短辺連結部の短辺連結体が挿入される通路兼挿入室と、この通路兼挿入室の奥側に連なって上記短辺連結体を収容する収容室と、上記通路兼挿入室に挿入された短辺連結体を、上記通路兼挿入室から離脱不可に固定する固定機構とを有する。したがって、隣接する足場板が、互いに短辺連結部の開口を相対するように配置されれば、いずれか一方の短辺連結体を、他方の通路兼挿入室に挿入し、他方の固定機構で上記短辺連結体を固定することにより、互いの足場板を連結することができる。したがって、作業が容易な側の短辺連結体を選んで、通路兼挿入室への挿入と固定を行うことができるので、高い自由度で連結作業を行うことができる。また、足場板本体の短辺に、同一の構造を有する短辺連結部が設けられているので、足場板を設置する際に、短辺の連結部の種類を区別する必要が無い。したがって、足場板の配列形態を高い自由度で設置することができる。また、足場板相互の短辺を、足場板本体内の部材によって連結することができるので、クランプ等の他の部品を用いる必要が無い。したがって、吊り足場を形成する作業において、使用する部品の点数を削減でき、また、吊り足場からの部品の落下を防止できる。
【００３１】
一実施形態の足場板は、上記固定機構は、上記足場板本体内の上記通路兼挿入室の上側に設けられ、上記通路兼挿入室に連通する連通穴が一部に形成された案内通路と、この案内通路内を移動可能かつ上記連通穴に挿通可能に形成された固定具とを有し、
上記短辺連結体には、上記固定具が挿入可能な固定用挿入穴が形成され、
上記通路兼挿入室内に、隣接する足場板の上記短辺連結体が挿入されたとき、この短辺連結体の固定用挿入穴に、上記案内通路の連通穴内に挿通された固定具の先端部が挿入されることにより、この固定具で短辺連結体と通路兼挿入室とが係合されて固定される。
【００３２】
上記実施形態によれば、通路兼挿入室内に挿入された短辺連結体を固定するための固定機構が、足場板本体内の通路兼挿入室の上側に設けられた案内通路と、この案内通路内を移動可能に形成された固定具とを有する。上記案内通路は、上記通路兼挿入室に連通する連通穴が一部に形成されている一方、上記固定具は、記連通穴に挿通可能に形成されている。また、上記短辺連結体には、上記固定具が挿入可能な固定用挿入穴が形成されている。第１の足場板の短辺と、第２の足場板の短辺を連結する工程で、第２の足場板の通路兼挿入室内に、第１の足場板の短辺連結体が挿入された後、上記案内通路の固定具が連通穴内に挿通されると共に、この連通穴内に挿通された固定具の先端部が固定用挿入穴に挿入される。これにより、上記固定具で第１の足場板の短辺連結体と第２の足場板の通路兼挿入室とを係合して固定することができる。
【００３３】
一実施形態の足場板は、上記固定機構の固定具が、上記足場板本体の表面に形成された操作穴を通して、上記連通穴に対する挿通と離脱が操作可能に形成されている。
【００３４】
上記実施形態によれば、固定機構の固定具が、足場板本体の表面に形成された操作穴を通して、連通穴に対する挿通と離脱が操作可能であるので、足場板上の作業者によって、足場板相互の固定と解除の作業を、容易かつ安全に行うことができる。ここで、上記固定具は、上記操作穴を通して挿入されたシノ等の先端が尖った工具で操作可能なように、操作用の係合穴が形成されているのが好ましい。
【００３５】
一実施形態の足場板は、上記足場板本体が、長辺方向に延びる複数の中空形材が短辺方向に配列され、かつ、互いに嵌合して形成されている。
【００３６】
上記実施形態によれば、足場板本体が、幅方向に配列されて嵌合した複数の中空形材によって形成されるので、従来のように裏面に枠組が露出しない。したがって、吊り足場を形成したときの下方からの美観を向上できる。また、複数の中空形材を幅方向に嵌合して板状の足場板本体が形成されるので、中空形材の材料に、例えばアルミニウム等の軽量の金属や、ＦＲＰ（繊維強化プラスチック）等の樹脂等を用いることができる。したがって、足場板の軽量化を行うことができ、吊り足場を形成する作業の負担を軽減できる。
【００３７】
本発明の他の側面による足場板は、長辺と短辺を有する矩形の板状の足場板本体を有し、
上記足場板本体が、長辺方向に延びる複数中空形材が短辺方向に配列され、かつ、互いに嵌合して形成されていることを特徴としている。
【００３８】
上記構成によれば、長辺と短辺を有する矩形の板状の足場板本体が、幅方向に配列されて嵌合した複数の中空形材によって形成されるので、従来のように裏面に枠組が露出しないから、吊り足場を形成したときの下方からの美観を向上できる。また、中空形材の材料に、例えばアルミニウム等の軽量の金属や、ＦＲＰ等の樹脂等を用いることができるので、足場板の軽量化を行うことができ、吊り足場を形成する作業の負担を軽減できる。
【００３９】
一実施形態の足場板は、上記足場板本体を形成する中空形材が、アルミニウム製の押出形材である。
【００４０】
上記実施形態によれば、中空形材として、アルミニウム製の押出形材で足場板本体を形成することにより、軽量かつ強度の比較的高い足場板が得られる。
【００４１】
一実施形態の足場板は、上記足場板本体が、隣接する中空形材の間の嵌合長さが短辺方向に変更可能に形成され、かつ、上記短辺方向の嵌合長さが長辺方向の異なる位置で異なる長さに設定可能に形成されている。
【００４２】
上記実施形態によれば、中空形材で形成された足場板本体が、隣接する中空形材の間の嵌合長さが短辺方向に変更可能に形成されている。さらに、上記隣接する中空形材の間の短辺方向の嵌合長さが、長辺方向の異なる位置で、異なる長さに設定可能に形成されている。これにより、足場板を配列して吊り足場を形成する際に、隣接する足場板との間に隙間が生じる場合、中空形材の間の短辺方向の嵌合長さを適宜調節することにより、足場板の短辺方向の長さを調整して、隙間を解消することができる。また、隣り合う中空形材の間の短辺方向の嵌合長さを、長辺方向の一端は小さく設定すると共に、長辺方向の他端は大きく設定することにより、足場板本体の形状を扇状に変更することができる。したがって、橋梁に沿ってカーブした吊り足場を形成する場合、足場板本体の形状を、カーブの曲率に応じた扇形に調節することにより、吊り足場に隙間が発生する不都合を効果的に防止することができる。しかも、上記隣り合う中空形材の間の短辺方向の嵌合長さを適宜調節することにより、種々の曲率のカーブの吊り足場を、隙間無く形成することができる。さらに、足場板の相互間に形成される隙間を塞ぐための別部品が不要であるので、少ない部品点数で吊り足場を形成することができ、また、別部品で隙間を塞ぐ作業の際に部品や工具が落下する不都合を防止できる。
【００４３】
一実施形態の足場板は、上記中空形材の内側に、環状の支持金具が、上記足場板本体の表面に形成された金具穴から出没可能に収容されている。
【００４４】
上記実施形態によれば、足場板本体を形成する中空形材の内側に、環状の支持金具が収容されている。この支持金具は、上記足場板本体の表面に形成された金具穴から出没可能に形成されている。これにより、支持金具を使用しない場合は、足場板本体の表面から支持金具や支持金具に関する部品が突出することが無い。したがって、足場板上での作業者の作業や台車の走行が突出物で支障を来す不都合を、効果的に防止できる。また、支持金具が足場板本体内に内蔵されているので、別部品のボルトやクランプ等を用いる必要が無いから、少ない部品点数で吊り足場を形成することができる。ここで、上記支持金具は、足場板を吊下げるためのチェーンやワイヤ等に接続されてもよく、また、作業者に把持されてもよく、要は、足場板を支持するための種々の用途の金具が該当する。
【００４５】
一実施形態の足場板は、上記第２連結部が設けられた長辺を形成する中空形材の内側に、上記第２連結部の挿入穴内に挿入された上記第１連結部の突出部を上記挿入穴内から離脱不可に固定する固定機構のアッセンブリブロックが、嵌合して収容されている。
【００４６】
上記実施形態によれば、足場板は、第２連結部の挿入穴内に挿入された第１連結部の突出部を上記挿入穴内から離脱不可に固定する固定機構を備え、この固定機構により、隣接する足場板の連結が固定される。ここで、上記第２連結部が設けられた長辺を形成する中空形材の内側に、固定機構のアッセンブリブロックが嵌合して収容されることにより、相互に連結して固定される足場板を、容易に製造することができる。
【図面の簡単な説明】
【００４７】
【図１】本発明の実施形態の足場板を示す平面図である。
【図２】足場板を用いて形成された吊り足場の横断面図である。
【図３】図２中のＢ−Ｂ’線に沿った吊り足場の平面図である。
【図４】図１中のＡ−Ａ’線に沿った足場板の横断面図である。
【図５】足場板の第１連結部の周辺を示す部分断面図である。
【図６】足場板の第２連結部の周辺を示す部分断面図である。
【図７】第１の足場板の第１連結部と第２の足場板の第２連結部との連結部分を示す断面図である。
【図８】図７中のＣ−Ｃ’線に沿った連結部分の横断面図である。
【図９Ａ】第１の足場板の第１連結部と第２の足場板の第２連結部とを連結する工程を示す断面図である。
【図９Ｂ】図９Ａに続く工程を示す断面図である。
【図９Ｃ】図９Ｂに続く工程を示す断面図である。
【図１０】足場板の短辺連結部を示す平断面図である。
【図１１】図１０中のＥ−Ｅ’線に沿った短辺連結部の断面図である。
【図１２Ａ】第１の足場板と第３の足場板を、第１の足場板の短辺連結体を第３の足場板の通路兼挿入室内に挿入して連結した様子を示す平断面図である。
【図１２Ｂ】第１の足場板と第３の足場板を、第３の足場板の短辺連結体を第１の足場板の通路兼挿入室内に挿入して連結した様子を示す平断面図である。
【図１３Ａ】吊り金具のアッセンブリブロックを示す平面図である。
【図１３Ｂ】図１３Ａ中のＧ−Ｇ’線に沿った吊り金具のアッセンブリブロックの断面図である。
【図１４】足場板の中空形材が互いに連結された摺動嵌合部を示す断面図である。
【図１５】足場板の一方の短辺を短く、他方の短辺を長く調節した様子を示す平面図である。
【図１６Ａ】従来の足場板を示す平面図である。
【図１６Ｂ】従来の足場板を示す側面図である。
【図１７Ａ】従来の足場板で吊り足場を形成する工程を示す図である。
【図１７Ｂ】図１７Ａに続く工程を示す図である。
【図１８】従来の隣接する足場板の連結部を示す平面図である。
【図１９】従来の足場板に荷重が作用した様子を示す正面図である。
【図２０】従来の足場板に荷重が作用した様子を示す側面図である。
【発明を実施するための形態】
【００４８】
以下、本発明を図示の実施の形態により詳細に説明する。
【００４９】
図１は、本発明の実施形態の足場板を示す平面図である。本実施形態の足場板は、建設工事や補修工事等で作業用の足場を形成するために用いられるものであり、特に、高所から吊り下げられて互いに連結されることにより、吊り足場を形成するために好適である。
【００５０】
本実施形態の足場板１は、平面視において長辺２と短辺３を有する矩形の板状の足場板本体４と、この足場板本体４の一方の長辺２ａに設けられた第１連結部と、上記足場板本体４の他方の長辺２ｂに設けられた第２連結部を備える。短辺方向に配列した複数の足場板１を、相対する上記第１連結部と第２連結部によって互いに連結することにより、短辺方向の複数の足場板１を一体化するように形成されている。また、この足場板１は、足場板本体４の両方の短辺３，３に、長辺方向に隣接した足場板１の短辺３と連結するための短辺連結部が設けられている。長辺方向に配列した複数の足場板１を、相対する上記短辺連結部によって互いに連結することにより、長辺方向の複数の足場板１を一体化するように形成されている。こうして複数の足場板１を、短辺方向と長辺方向に互いに連結することにより、足場を形成するように構成されている。
【００５１】
上記足場板１の表面には、図１に示されるように、第１連結部に、一方の長辺２ａに隣接する足場板１と連結する際に、この隣接した足場板１の固定具が係合する固定穴７が形成されている。また、第２連結部の近傍に、他方の長辺２ｂに隣接する足場板１との連結又は解除を行う際に、この隣接した足場板１の固定穴７に対して固定具を係合又は除去するための長辺固定操作穴８が形成されている。また、両方の短辺３，３の近傍に、これらの短辺３，３に隣接する足場板１との連結を行う嵌合体を進退操作するための進退操作穴４１と、挿入された嵌合体に対する固定具の係合又は除去を行うための短辺固定操作穴４０が形成されている。また、足場板１を吊り下げるときや、足場板１を運搬するときに金具を出没操作するための金具操作穴６０と、ボルトが螺着されるボルト穴８０が形成されている。また、足場板１の表面には、後述する中空形材を互いに接続するためのリベット７０が現れている。
【００５２】
本実施形態の足場板１の寸法は、例えば長辺２が３０００ｍｍ、短辺３が６００ｍｍ、かつ、厚みが６０ｍｍに形成することができる。なお、長辺２を２０００ｍｍや３８５０ｍｍ等の寸法に形成してもよい。また、長辺２と短辺３の長さと、長辺２と短辺３との比率は、種々の値に設定することができる。
【００５３】
図２は、橋梁の補修工事のために設置された吊り足場を示す図であって、橋梁の床版の下側に、複数の足場板１で形成された吊り足場を設置した様子を模式的に示す断面図である。図３は、図２中のＢ−Ｂ’断面矢視図であって、上記吊り足場を模式的に示す平面図である。図２に示すように、橋梁２０の床版２１を支持する主桁２２，２２，２２，・・・の下フランジに、クランプ２３でチェーン２４を固定し、このチェーン２４の下端に、足場板１を接続して吊り下げている。図３において、６５はチェーン２４に接続される吊り金具であり、後に詳述する。チェーン２４で吊下げられた複数の足場板１は、長辺方向と短辺方向に互いに連結されて、吊り足場１０を構成している。詳しくは、複数の足場板１が、橋軸方向に延在する主桁２２に沿って、第１連結部と第２連結部とで互いに連結されることにより、短辺方向に向かって設置される。また、隣の主桁２２に沿って、複数の足場板１が短辺方向に向かって設置される。これらの短辺方向に設置された足場板１の列が、長辺方向に隣接する足場板１，１との間で短辺連結部によって連結されることにより、長辺方向にも連結されて、吊り足場１０が形成される。図３において、Ｘ方向が長辺方向であり、Ｙ方向が短辺方向である。すなわち、足場板１Ａと足場板１Ｂが短辺方向に配列されて連結されており、足場板１Ａと足場板１Ｃが長辺方向に配列されて連結されている。また、本実施形態の足場板１による吊り足場１０は、橋梁以外の他の構造物に設置してもよい。
【００５４】
図４は、図１中のＡ−Ａ’断面矢視図であって、足場板１を短辺方向に切断した様子を示す横断面図である。図４に示すように、この足場板１は、長辺方向に延在する５個の中空形材を、幅方向すなわち短辺方向に配列して互いに嵌合することにより、板状に形成している。これらの中空形材は、アルミニウム又はアルミニウム合金で形成され、押出成形により作製されている。これらの中空形材は、短辺方向の中央に位置する中央材１１と、この中央材１１の両側に位置する中間材１２，１３と、短辺方向の一端に位置する第１端材１４と、短辺方向の他端に位置する第２端材１５で構成されている。
【００５５】
中央材１１は、幅方向において左右対称の形状を有すると共に閉断面に形成され、幅方向の両側かつ表面と裏面に、隣接する中間材１２，１３のフランジが嵌合する嵌合溝が形成されている。中間材１２，１３は、互いに同一の断面を有し、中央材１１の両側に左右対称の向きに配置される。この中間材１２，１３は、幅方向の外側が概ね正方形の閉断面に形成され、この閉断面部の上端と下端に、幅方向の内側に向かって延びるフランジが形成されている。これらのフランジの先端部分が、中央材１１の嵌合溝に嵌合している。また、中間材１２，１３の幅方向の外側には、各々に隣接する第１端材１４と第２端材１５のフランジが嵌合する嵌合溝が形成されている。第１端材１４は、一方の長辺２ａを形成すると共に、幅方向の端部に第１連結部が設けられている。この第１端材１４は、第１連結部が設けられた側が中空の閉断面であり、この閉断面部の上端と下端に、幅方向の内側に向かって延びるフランジが形成されている。これらのフランジの先端部分が、中間材１２の嵌合溝に嵌合している。第２端材１５は、他方の長辺２ｂを形成すると共に、幅方向の端部に第２連結部が設けられている。この第２端材１５は、第２連結部が設けられた側が中空の閉断面であり、この閉断面部の上端と下端に、幅方向の内側に向かって延びるフランジが形成されている。これらのフランジの先端部分が、中間材１３の嵌合溝に嵌合している。中央材１１と中間材１２，１３との間の嵌合部分と、中間材１２，１３と第１端材１４及び第２端材１５との間の嵌合部分は、互いの部材が嵌合した状態で幅方向に摺動可能に形成された摺動嵌合部９０となっている。
【００５６】
このように、足場板１は、閉断面を有する複数の中空形材を幅方向に配列し、互いに嵌合して構成している。これにより、軽量であるにもかかわらず、特に長辺方向の曲げ剛性を高く確保することができる。また、表面と裏面のいずれにも、中空形材の比較的平滑な面が露出するので、従来の枠組と床材で構成した足場板のように、裏面に露出した枠組によって下方から視たときの美観を損ねる不都合を防止できる。ここで、中空形材は、アルミニウム以外の他の金属で形成してもよく、或いは、ＦＲＰ等の樹脂で形成してもよい。また、足場板１を構成する中空形材の個数は、５個以外の何個でもよい。また、足場板１を、中空形材である中央材１１、中間材１２，１３、第１端材１４及び第２端材１５で形成し、第１端材１４は第１連結部を有すると共に第２端材１５は第２連結部を有したが、足場板本体４を複数の中空形材で形成する一方、第１連結部と第２連結部は、足場板本体４とは別に形成してもよい。
【００５７】
図５は、足場板本体４の一方の長辺２ａに設けられた第１連結部を示す断面図である。この第１連結部は、足場板１を構成する第１端材１４の側面に形成されており、足場板本体４の一方の長辺２ａに連なる端面２５ａから突出した突出部５を有する。突出部５は、足場板本体４の一方の長辺２ａの全長に亘って形成されている。この突出部５は、足場板１の短辺方向の断面において、足場板本体４の厚みの２０〜３０％程度の厚みと、この厚みの２〜３倍の長さの突出量を有する寸法に形成されている。突出部５の表面は、足場板本体４の表面と平行の平面が形成され、先端部に、隣接して設置される足場板１の第２連結部の突起３１が係合する凹部２６，２６が設けられている。また、突出部５の表面の先端には、足場板本体４の表面側に突出した突起２７が設けられている。また、突出部５の先端面から裏面の間は、円弧断面の曲面に形成されている。突出部５の裏面側の付け根であって、突出部５の裏面と足場板本体４の端面２５ａとの間には、傾斜面２９が形成されて、突出部５の付け根の厚みが増大している。
【００５８】
図６は、足場板本体４の他方の長辺２ｂに設けられた第２連結部を示す断面図である。この第２連結部は、足場板１を構成する第２端材１５の側面に形成されており、足場板本体４の他方の長辺２ｂに連なる端面２５ｂに形成された挿入穴６を有する。挿入穴６は、足場板本体４の他方の長辺２ｂの全長に亘って形成されている。この挿入穴６は、足場板本体４の厚みの４０〜５０％程度の高さと、この高さの１．５〜１倍の奥行の寸法に形成されている。挿入穴６の内側には、挿入穴６の下側の縁から奥に向かうにつれて挿入穴６の内側に傾斜した傾斜面３０が設けられている。また、挿入穴６の上側の縁には、挿入穴６の内側に突出した突起３１が設けられている。
【００５９】
図７は、第１の足場板１Ａの第１連結部に、第２の足場板１Ｂの第２連結部を連結した様子を示した断面図であり、図８は、図７のＣ−Ｃ’線における断面図である。すなわち、図７は、第１の足場板１Ａと第２の足場板１Ｂとの連結部分の横断面図であり、図８は、上記連結部分の縦断面図である。本実施形態の足場板１は、第２連結部に、隣接して連結された足場板１の第１連結部との連結状態を固定するための長辺固定機構９が設けられている。この長辺固定機構９は、第２連結部の挿入穴６の上側、すなわち、足場板１の表面側に配置されて、内側に案内通路を形成する案内金具３２を有する。この案内金具３２の内側には、案内通路内を移動可能に形成された円筒形状の固定具３４が収容されている。案内金具３２には、案内通路の延在方向の中央部において、案内通路の底面の一部に穴が形成されており、この案内金具３２の穴と連通する穴が、挿入穴６の壁面に形成されている。この案内金具３２の穴と、挿通穴６の壁面の穴により、連通穴３７が形成されている。すなわち、この連通穴３７により、案内通路と挿入穴６が連通されている。案内金具３２は、内側の案内通路が、第２端材１５の表面の長辺固定操作穴８と連通するように配置されている。
【００６０】
円筒形状の固定具３４には、径方向に貫通すると共に、軸方向の中央から基端に延在する案内保持穴３３が形成されている。この案内保持穴３３に、保持棒３５が挿通され、この保持棒３５の両端が、案内金具３２の案内通路を区画する両壁に固定されている。上記保持棒３５は、案内金具３２の連通穴３７の上方であって、案内通路の基端側寄りに配置されている。固定具３４は、案内金具３２に固定された保持棒３５に、案内保持穴３３が挿通されていることにより、案内通路の基端側では案内通路内に保持される一方、案内通路の先端側では連通穴３７内に落下して挿通されるようになっている。また、固定具３４の上側面であって、長辺固定操作穴８に臨む面には、シノ等の工具の先端部が係合可能な係合穴３６が形成されている。長辺固定操作穴８を通して足場板１の表面から挿入した工具の先端を、係合穴３６に係合させて、固定具３４の案内通路内の進退位置と、連通穴３７への落下及び引き上げを操作するようになっている。上記案内金具３２、固定具３４、連通穴３７及び保持棒３５等により、長辺固定機構９が形成されている。この長辺固定機構９は、案内金具３２、固定具３４及び保持棒３５が、互いに固定又は連結されて、一塊のアッセンブリブロックに形成されている。この長辺固定機構９のアッセンブリブロックが、中空形材である第２端材１５の内部に挿入され、リベットやボルトナット等で固定されている。長辺固定機構９のアッセンブリブロックを用いることにより、互いに固定可能な足場板１を容易に製造することができる。
【００６１】
一方、第１連結部の突出部５には、この突出部５の表面から裏面に貫通した固定穴７が形成されている。第１の足場板１Ａの第１連結部の突出部５を、第２の足場板１Ｂの第２連結部の挿入穴６に挿入した状態で、第２連結部の長辺固定機構９の固定具３４が連通穴３７に落下して挿通される。これにより、図８の想像線で示されるように、固定具３４の先端部が固定穴７に挿入される。こうして固定具３４により、第１連結部の突出部５と第２連結部の挿入穴６を係合して、第１の足場板１Ａと第２の足場板１Ｂを互いに固定するようになっている。
【００６２】
本実施形態の足場板１を用いて吊り足場を作製する際、先に吊り下げた第１の足場板１Ａの上に第２の足場板１Ｂを載置し、この第２の足場板１Ｂを第１の足場板１Ａと同一平面上に配置して連結する工程を繰り返して、複数の足場板１を短辺方向に配列する。図９Ａ乃至９Ｃは、第１足場板１Ａの上に第２足場板１Ｂを載置してから互いを連結するまでの工程における、第１足場板１Ａの第１連結部と第２足場板１Ｂの第２連結部との関係を示す断面図である。なお、図９Ａ乃至９Ｃには、第２連結部の長辺固定機構９と、第１連結部の突出部５の固定穴７は示していない。
【００６３】
例えば橋梁の床版の下方に吊り足場を形成する場合、従来の足場板を用いた場合と同様に、まず、第１の足場板１を吊り下げる。すなわち、主桁２２にチェーン２４を固定して垂下させ、チェーン２４の下端に足場板１を接続する。チェーン２４との接続は、ボルト穴８０に螺着したアイボルト等で行う。この第１の足場板１の上に第２の足場板１を搬入し、主桁２２から垂下させた新たなチェーン２４に第２の足場板１を接続する。続いて、第２の足場板１を、第２連結部が第１の足場板１の第１連結部に接するように、概ね鉛直方向を向くように第１の足場板１の上に立設する。図９Ａは、このときの第１の足場板１の第１連結部と、第２の足場板１の第２連結部との様子を示す断面図である。図９Ａに示すように、第１の足場板１Ａの突出部５の表面に、第２の足場板１Ｂの端面２５ｂが接すると共に、第１の足場板１Ａの端面２５ａに、第２の足場板１Ｂの表面が接するように、第１の足場板１Ａ上に第２の足場板１Ｂを立設する。この後、図９Ｂの矢印Ｒで示すように、第２の足場板１Ｂを、立設時に上側に位置する第２連結部が下方に向かうように回転させる。このとき、第２の足場板１Ｂの第２連結部の突起３１が、第１の足場板１Ａの第１連結部の突出部５の凹部２６に係合する。これにより、第２の足場板１Ｂは、第１の足場板１Ａの第１連結部の回りに安定して回転することができる。第２の足場板１Ｂが第１の足場板１Ａの第１連結部の回りに回転し、水平方向を向くと、図９Ｃに示すように、第２の足場板１Ｂの第２連結部の挿入穴６内に、第１の足場板１Ａの第１連結部の突出部５の先端が挿入された状態となる。水平方向を向いた第２の足場板１Ｂは、チェーン２４によって主桁２２に吊下げられる。ここで、第２の足場板１Ｂに追加のチェーン２４を接続してもよく、或いは、チェーン２４を掛け替えてもよい。引き続いて、第２の足場板１Ｂを第１の足場板１Ａの側に引き寄せて、第１の足場板１Ａの端面２５ａと、第２の足場板１Ｂの端面２５ｂとを接触させる。この後、第２の足場板１Ｂの長辺固定操作穴８にシノ等の工具を挿入し、第２の足場板１Ｂ内の固定具３４を操作して連通穴３７に落下させ、固定具３４を連通穴３７に挿通させると共に、この固定具３４の先端を第１の足場板１Ａの固定穴７に挿入する。これにより、第１の足場板１Ａの第１連結部と、第２の足場板１Ｂの第２連結部とを固定する。こうして、第１の足場板１Ａの同一平面上に、第２の足場板１Ｂを配置して固定する。このような第１の足場板１Ａへの第２の足場板１Ｂの搬入と固定を繰り返すことにより、足場板１を短辺方向に順次配列し、短辺方向に延在する足場を形成する。
【００６４】
このような第１の足場板１Ａ上に立設した第２の足場板１Ｂを倒し、第１の足場板１Ａ側に引き寄せて第１の足場板１Ａと固定する工程において、本実施形態の足場板１は、第１の連結部の突出部５と第２の連結部の挿入穴６が長辺２の全長に亘って形成されているので、第１の足場板１Ａと第２の足場板１Ｂとの間に、隙間が形成されることが無い。したがって、第１の足場板１Ａと第２の足場板１Ｂとの隙間から、工具や材料等が落下する不都合を、効果的に防止することができる。
【００６５】
また、本実施形態の足場板１は、第１連結部の突出部５の先端に突起２７を有すると共に、第２連結部の挿入穴６の縁に突起３１を有するので、第２の足場板１Ｂを第１の足場板１Ａの側に引き寄せる作業中に、誤って第２の足場板１Ｂを第１の足場板１Ａから遠ざける方向の力が作用しても、これらの突起２７，３１が係合して第１の足場板１Ａの第１連結部と第２の足場板１Ｂの第２連結部との係合が保たれる。したがって、作業者が、チェーン２４で吊り下げられた第１の足場板１Ａと第２の足場板１Ｂの操作を誤っても、第１の足場板１Ａから第２の足場板２Ｂが離れる不都合や、第２の足場板１Ｂがチェーン２４の下端の回りに回転する不都合が防止される。その結果、第１の足場板１Ａと第２の足場板２Ｂの隙間から物や作業者が落下する不都合や、第２の足場板２Ｂの移動や回転に起因して作業者がバランスを崩す不都合を、効果的に防止することができる。
【００６６】
また、本実施形態の足場板１は、第１連結部が長辺２ａの全長に亘って突出した突出部５を有すると共に、第２連結部が長辺２ｂの全長に亘って開口した挿入穴６を有し、第１の足場板１Ａの突出部５が第２の足場板１Ｂの挿入穴６に嵌合して連結される。したがって、第１の足場板１Ａと第２の足場板１Ｂは、従来の足場板のように辺の両端で連結されるよりも、高い剛性で連結される。したがって、第１の足場板１Ａに荷重が作用したとき、第２の足場板１Ｂとの間に段差が形成される不都合を防止できる。また、この足場板１は、第１の足場板１Ａの第１連結部の突出部５が、第２の足場板１Ｂの第２連結部の挿入穴６に挿入されて嵌合することにより、第１の足場板１Ａと第２の足場板１Ｂが連結される。したがって、短辺方向にモーメント荷重が伝達されるので、第１の足場板１Ａ又は第２の足場板１Ｂに荷重が作用したとき、第１の足場板１Ａと第２の足場板１Ｂとの間に生じる角度変位を、従来よりも大幅に低減することができる。これらにより、作業者や台車が吊り足場上を移動するとき、足場板１の相互間に形成される段差や角度変位を従来よりも小さくできる。したがって、本実施形態の足場板１で形成された吊り足場は、作業者の躓きや、台車の停止が発生する不都合を、効果的に防止できる。
【００６７】
本実施形態の足場板１により吊り足場を形成するには、図３に示すように、足場板１Ａ，１Ｂを短辺方向に配列して固定すると共に、長辺方向に隣接する足場板１Ａ，１Ｃの相互を連結する。図１０は、足場板１を短辺方向に連結して固定するための短辺連結部を示す平断面図であり、図１１は、図１０中のＥ−Ｅ’断面矢視図である。図１０は、図１１中のＦ−Ｆ’断面矢視図である。短辺連結部は、足場板本体４の短辺の中央に配置されており、足場板１を形成する中空形材のうちの中央材１１の両端に内蔵されている。この短辺連結部は、足場板本体４の短辺の端面３８に形成された矩形の開口３９と、この開口３９に連なる通路兼挿入室を形成する挿入室金具５０と、この挿入室金具５０で形成された通路兼挿入室内に収容されると共に開口から先端部が出没可能な短辺連結体５１と、通路兼挿入室内に挿入された短辺連結体５１を固定する短辺固定機構４２を備える。
【００６８】
挿入室金具５０の内側に形成された通路兼挿入室は、短辺連結体５１を収容すると共にこの短辺連結体５１が長辺方向に移動可能な形状と大きさを有する。なお、図１０において、挿入室金具５０の通路兼挿入室の天井部分は、図示を省略している。通路兼挿入室内に収容される短辺連結体５１は、平面視において先端側の幅が基端側の幅よりも狭い凸形状に形成され、先端部に、短辺固定機構４２の固定具４４が嵌合する短辺固定穴５２が形成されている。また、短辺連結体５１の基端側には、この短辺連結体５１を長辺方向に移動させるために作業者に操作される操作桿５３が設けられている。上記挿入室金具５０は、通路兼挿入室の天井部分に、長辺方向に延在する操作用長穴５６が形成されている。この操作用長穴５６は、中央材１１に形成された進退操作穴４１と、平面視において略同じ寸法に形成されている。上記挿入室金具５０の操作用長穴５６に、短辺連結体５１の操作桿５３が挿通されていると共に、この操作桿５３の上端が、中央材１１の進退操作穴４１から外部に臨むように、中央材１１の内側に位置している。これにより、足場板１の表面から進退操作穴４１内にシノ等の工具を挿入し、この工具で操作桿５３を進退操作穴４１に沿って移動させることにより、短辺連結体５１が通路兼挿入室内を移動すると共に、開口３９から出没することが可能になっている。
【００６９】
短辺固定機構４２は、長辺方向に隣接して配置された足場板１の短辺連結体５１の先端部が、通路兼挿入室内に挿入されたとき、この短辺連結体５１の先端部を固定して、長辺方向に隣接する足場板１を固定するものである。この短辺固定機構４２は、挿入室金具５０の先端部かつ表面側に配置され、内側に案内通路を形成する案内金具４３を有する。この案内金具４３の内側には、案内通路内を移動可能に形成された円筒形状の固定具４４が収容されている。案内金具４３には、案内通路の延在方向の中央部において、案内通路の底面の一部に穴４６が形成されており、この案内金具４３の穴４６と連通する穴５７が、挿入室金具５０の通路兼挿入室の天井面に形成されている。この案内金具４３の穴４６と、挿入室金具５０の穴５７により、案内通路と通路兼挿入室内とを連通する連通穴が形成されている。案内金具４３は、内側の案内通路が、中央材１１の表面の短辺固定操作穴４０と連通するように配置されている。
【００７０】
円筒形状の固定具４４は、第２連結部の長辺固定機構９の固定具３４と同様に、径方向に貫通すると共に、軸方向の中央から基端に延在する案内保持穴が形成され、この案内保持穴に、案内金具４３に両端が固定された保持棒が挿通されている。これにより、固定具４４は、案内通路の一端側では案内通路内に保持される一方、案内通路の他端側では連通穴内に落下して挿通されるようになっている。また、固定具４４の上側面であって、短辺固定操作穴４０に臨む面には、シノ等の工具の先端部が係合可能な係合穴４５が形成されている。短辺固定操作穴４０を通して足場板１の表面から挿入した工具の先端を、係合穴４５に係合させて、固定具４４の案内通路内の進退位置と、連通穴への落下及び引き上げを操作するようになっている。上記案内金具４３、固定具４４、連通穴及び保持棒等により、短辺固定機構４２が形成されている。
【００７１】
図１２Ａ及び１２Ｂは、長辺方向に隣接する２つの足場板１Ａ，１Ｃを連結して固定した短辺連結部の様子を示す平断面図である。図１２Ａ及び１２Ｂのいずれも、短辺の端面３８を互いに接して配置された第１の足場板１Ａと第３の足場板１Ｃの短辺方向の中央部を示している。図１２Ａでは、第１の足場板１Ａの短辺連結体５１を、第３の足場板１Ｃの通路兼挿入室内に挿入している。詳しくは、第１の足場板１Ａの短辺連結体５１の先端部が、第３の足場板１Ｃの通路兼挿入室内に挿入されると、第１の足場板１Ａの短辺連結体５１の先端部が、第３の足場板１Ｃの短辺固定機構４２の下側に位置する。この状態で、第３の足場板１Ｃの短辺固定機構４２の固定具４４が、短辺固定操作穴４０に挿入されたシノの先端で操作され、案内金具４３の穴４６に落下して連通穴に挿通される。これにより、第３の足場板１Ｃの固定具４４の先端部が、第１の足場板１Ａの短辺連結体５１の短辺固定穴５２に挿入される。こうして第３の足場板１Ｃの固定具４４により、第１の足場板１Ａの短辺連結体５１を通路兼挿入室内に係合して、第１の足場板１Ａと第３の足場板１Ｃが互いに固定される。
【００７２】
一方、図１２Ｂでは、第３の足場板１Ｃの短辺連結体５１を、第１の足場板１Ａの通路兼挿入室内に挿入している。詳しくは、第３の足場板１Ｃの短辺連結体５１の先端部が、第１の足場板１Ａの通路兼挿入室内に挿入されると、第３の足場板１Ｃの短辺連結体５１の先端部が、第１の足場板１Ａの短辺固定機構４２の下側に位置する。この状態で、第１の足場板１Ａの短辺固定機構４２の固定具４４が、短辺固定操作穴４０に挿入されたシノの先端で操作され、案内金具４３の穴４６に落下して連通穴に挿通される。これにより、第１の足場板１Ａの固定具４４の先端部が、第３の足場板１Ｃの短辺連結体５１の短辺固定穴５２に挿入される。こうして第１の足場板１Ａの固定具４４により、第３の足場板１Ｃの短辺連結体５１を通路兼挿入室内に係合して、第１の足場板１Ａと第３の足場板１Ｃが互いに固定される。
【００７３】
このように、長辺方向に隣接した第１の足場板１Ａと第３の足場板１Ｃは、いずれか一方の短辺連結体５１を、他方の通路兼挿入室内内に挿入することにより、互いに固定することができる。したがって、第１の足場板１Ａと第３の足場板１Ｃとのうち、任意の短辺連結体５１と固定具４４を操作して、第１の足場板１Ａと第３の足場板１Ｃを固定することができる。
【００７４】
また、本実施形態の足場板１は、長辺方向に隣接する足場板１，１を、足場板１に内蔵された短辺連結体５１によって互いに連結して固定することができる。したがって、互いの足場板１，１を固定する際に、クランプ等の別部品が不要であるから、吊り足場を形成する部品の点数を削減できる。また、吊り足場からの部品の落下を防止できる。
【００７５】
図１３Ａは、足場板１に内蔵される支持金具としての吊り金具６５のアッセンブリブロックを示す平面図であり、図１３Ｂは、吊り金具６５のアッセンブリブロック６１を示す断面図である。図１３Ｂは、図１３Ａ中のＧ−Ｇ’断面矢視図である。吊り金具６５のアッセンブリブロック６１は、互いの間に隙間が形成されて固定された２つの型材６２，６３と、これらの２つの型材６２，６３の隙間を横切るように型材６２，６３の内部に配置された回転支持軸６４を備える。上記２つの型材６２，６３の隙間に、長円形状のリングで形成された支持金具としての吊り金具６５が配置されており、この吊り金具６５は、上記回転支持軸６４に一端側が挿通されている。一方の上記型材６３には、隙間に臨む位置に切り欠き６６が形成されている。このアッセンブリブロック６１は、中央材１１に内挿され、リベットやボルトナット等で固定される。このアッセンブリブロック６１の中央材１１内での固定位置は、中央材１１の表面に形成された金具操作穴６０に、吊り金具６５が臨む位置となるように調節される。金具操作穴６０は、アッセンブリブロック６１の隙間と切り欠き６６に沿った形状に形成されている。
【００７６】
吊り金具６５が使用されるとき、足場板１の表面から、操作者がシノ等の工具の先端を金具操作穴６０に挿入して吊り金具６５の一端に係合させ、この吊り金具６５の一端を引き出す。これにより、吊り金具６５が回転支持軸６４の回りに回転し、吊り金具６５の一端側が中央材１１の表面から突出する。吊り金具６５を中央材１１から引き出す際、アッセンブリブロック６１の型材６３に切り欠き６６が形成されているので、容易に工具を吊り金具６５に係合して引き出すことができる。中央材１１の表面から突出した吊り金具６５に、チェーン２４を接続することにより、足場板１が吊り下げられる。なお、支持金具としての吊り金具６５は、足場板１を吊り下げる用途に限定されず、例えば足場板１が作業者により運搬される際に把持され、或いは、足場板１が運搬車両に積載されたときにワイヤやロープ等で固定される等、種々の目的に使用することができる。また、吊り金具６５を用いないときは、回転支持軸６４回りに回転させて中央材１１内に没するように収納できるので、足場板１の表面からの突出物を無くして、足場板１上で作業を行う際の安全性を高めることができる。また、支持金具としての吊り金具６５は、足場板１に内蔵されているので、足場板１を吊下げ、或いは支持する際に、クランプやハンドル等の別部品が不要であるから、吊り足場を形成する部品の点数を削減できる。また、吊り足場からの部品の落下を防止できる。
【００７７】
本実施形態の足場板１は、チェーン２４で吊下げられる際に、チェーンと接続されるアイボルト等が、ボルト穴８０に螺着される。ボルト穴８０は、足場板１を形成する中央材１１の表面を貫通するように形成されており、この中央材１１の内部に固定された雌螺子ブロックと連通している。雌螺子ブロックは、中央材１１の中空部分に嵌合可能な形状を有するアッセンブリブロックであり、中央材１１のボルト穴８０に臨む位置に、雌螺子を有する螺子穴が形成されている。この雌螺子ブロックは、中央材１１の内部に嵌合されてリベットやボルトナット等で固定されることにより、ボルト穴８０に挿通されたボルト等の雄螺子が、螺子穴に螺着可能になっている。これにより、ボルト等の雄螺子が、足場板１に固定されるようになっている。ここで、雌螺子ブロックは、型材とナットを組み合わせて形成してもよく、或いは、鋳造体で形成してもよい。また、本実施形態では、ボルト穴８０を通して雌螺子ブロックの螺子穴に、足場板１を吊り下げるためのアイボルト等が螺着されたが、雄螺子を有する他の部品が、ボルト穴８０及び雌螺子ブロックの螺子穴に螺着されてもよい。
【００７８】
図１４は、足場板１を形成する複数の中空形材が互いに連結された部分である摺動嵌合部９０を示す断面図である。この断面図は、足場板１の短辺３の近傍における短辺方向の切断面である。足場板１の摺動嵌合部９０は、長辺方向に延在する中央材１１と中間材１２，１３との間と、中間材１２と第１端材１４との間と、中間材１３と第２端材１５との間に、夫々形成されている。図１４は、中央材１１と中間材１３との間の摺動嵌合部９０を示している。図１４に示すように、摺動嵌合部９０は、中央材１１の短辺方向、すなわち幅方向の両端部の表面及び裏面に形成された嵌合溝７５と、この嵌合溝７５内に配置された中間材１３のフランジの先端部分７２とを有して形成されている。なお、図１４には、中央材１１の短辺方向の一方、かつ、表面側の嵌合溝７５のみを示している。
【００７９】
中央材１１の嵌合溝７５は、図１４の断面視において、幅方向の端部の近傍に開口を有し、この端部から内側に向かって表面と平行に延在している。この嵌合溝７５の開口から奥側に、中央材１１の表面と平行に延びるフランジが挿入され、フランジの先端部分７２が嵌合溝７５の内部に収容されて嵌合している。上記嵌合溝７５に嵌合する中間材１３のフランジの先端部分７２には、先端と、この先端から多少内側寄りに、嵌合溝７５の底側に向かって延びる係合爪７３，７３が設けられている。この爪７３，７３は、中間材１３の長辺方向に延在しており、短辺方向の抜け止めを行っている。なお、係合爪７３の個数は、１個でもよく、或いは３個以上でもよい。
【００８０】
上記中間材１３のフランジの先端よりも内側には、短辺と平行に延在する長穴７６が形成されている。この長穴７６に、中央材１１の端部を貫通して厚み方向に延在するリベット７０が挿通されている。このリベット７０は、リベット頭の径が、長穴７６の幅よりも大きく形成されている。また、上記リベット７０の長さは、中央材１１の端部の厚みと中間材１３の表裏のフランジの厚みの合計よりも、多少大きく形成されている。これにより、中央材１１の端部に対して、中間材１３のフランジが嵌合した状態で、短辺方向に摺動可能になっている。また、長穴７６の長さによって、中央材１１の端部に対する中間材１３のフランジの摺動距離が画定される。その結果、中央材１１の短辺方向の中心と、中間材１３の短辺方向の中心との間の距離が、所定の範囲内で変更可能になっている。
【００８１】
上記中央材１１と中間材１３との間の摺動嵌合部９０には、長辺方向の両端と中央に、長穴７６とこれに挿通されたリベット７０が設けられている。中央材１１と他の中間材１２との間と、中間材１２と第１端材１４との間と、中間材１３と第２端材１５との間に形成された摺動嵌合部９０も、上記中央材１１と中間材１３との間の摺動嵌合部９０と同様に形成されている。これにより、中央材１１と中間材１２との間の距離と、中間材１２と第１端材１４との間の距離と、中間材１３と第２端材１５との間の距離が、各部材の短辺方向に、所定の範囲内で夫々変更可能になっている。これらの中空形材の相互間の距離は、長辺方向の異なる位置で異なる値に設定することができる。このような摺動嵌合部９０の特徴を利用して、足場板１の平面における形状を調節することが可能になっている。
【００８２】
図１５は、中央材１１、中間材１２，１３、第１端材１４及び第２端材１５の互いに隣接する位置にある摺動嵌合部９０について、一方の短辺３ａは相互間の距離を小さく調節する一方、他方の短辺３ｂは相互間の距離を大きく調節した足場板１の様子を示す平面図である。図１５に示すように、足場板１は、摺動嵌合部９０の調整により、一方の短辺３ａが短く、他方の短辺３ｂが長い扇形に形成することができる。扇形の足場板１は、橋梁に沿ってカーブした吊り足場を形成する場合に、従来のように別部品の隙間塞ぎ材を用いなくても、隙間の実質的に無い吊り足場を得ることができる。また、本実施形態の足場板１は、摺動嵌合部９０による中空形材の相互間の距離を調整可能であるので、カーブの曲率に適合するように足場板１の形状を調整することができる。したがって、種々の曲率のカーブを有する種々の吊り足場を、隙間を生じることなく作製することができる。さらに、本実施形態の足場板１は、足場板１の相互間に形成される隙間を塞ぐための別部品が不要であるので、少ない部品点数で吊り足場を形成することができる。また、隙間塞ぎ材等の別部品で隙間を塞ぐ作業の際に、部品や工具が落下する不都合を防止できる。ここで、本実施形態の足場板１は、扇形に限らず、他の形状に調整してもよい。
【００８３】
上記実施形態において、足場板１は、複数の中空形材を幅方向に嵌合して形成された足場板本体４を有するが、足場板本体４の構造は、中空形材を用いたものに限定されず、例えば枠組みと床板を組み合わせて形成されてもよい。すなわち、本発明の足場板は、一方の長辺の全長に亘って形成された突起を有する第１連結部と、他方の長辺の全長に亘って形成された挿入穴を有する第２連結部を備えるのであれば、足場板本体の構造は特に限定されない。
【００８４】
また、上記実施形態において、足場板１は、複数の中空形材を幅方向に嵌合して形成された足場板本体４に、一方の長辺の全長に亘って形成された突起を有する第１連結部と、他方の長辺の全長に亘って形成された挿入穴を有する第２連結部を形成したが、足場板の相互を連結する構造は、第１連結部及び第２連結部に限られない。すなわち、本発明の足場板は、足場板本体が、複数の中空形材を幅方向に嵌合して形成されていれば、足場板を相互に連結する手段は特に限定されない。
【００８５】
また、上記実施形態において、足場板１を用いて吊り足場を形成した場合について説明したが、本発明の足場板は、吊り足場以外の種々の形態の足場を形成するために適用可能である。
【００８６】
本発明は、以上説明した実施の形態に限定されるものではなく、多くの変形が、本発明の技術的思想内で当分野において通常の知識を有する者により可能である。
【符号の説明】
【００８７】
１  足場板
２  長辺
３  短辺
４  足場板本体
５  突出部
６  挿入穴
７  突出部の固定穴
８  長辺固定操作穴
９  長辺固定機構
１０  吊り足場
１１  中央材
１２，１３  中間材
１４  第１端材
１５  第２端材
４０  短辺固定操作穴
４１  進退操作穴
４２  短辺固定機構
６０  金具操作穴
７０  リベット
８０  ボルト穴
９０  摺動嵌合部
【図１】
2020190077.tif 000003
【図２】
2020190077.tif 000004
【図３】
2020190077.tif 000005
【図４】
2020190077.tif 000006
【図５】
2020190077.tif 000007
【図６】
2020190077.tif 000008
【図７】
2020190077.tif 000009
【図８】
2020190077.tif 000010
【図９Ａ】
2020190077.tif 000011
【図９Ｂ】
2020190077.tif 000012
【図９Ｃ】
2020190077.tif 000013
【図１０】
2020190077.tif 000014
【図１１】
2020190077.tif 000015
【図１２Ａ】
2020190077.tif 000016
【図１２Ｂ】
2020190077.tif 000017
【図１３Ａ】
2020190077.tif 000018
【図１３Ｂ】
2020190077.tif 000019
【図１４】
2020190077.tif 000020
【図１５】
2020190077.tif 000021
【図１６Ａ】
2020190077.tif 000022
【図１６Ｂ】
2020190077.tif 000023
【図１７Ａ】
2020190077.tif 000024
【図１７Ｂ】
2020190077.tif 000025
【図１８】
2020190077.tif 000026
【図１９】
2020190077.tif 000027
【図２０】
2020190077.tif 000028
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
長辺と短辺を有する矩形の板状の足場板本体と、
上記足場板本体の一方の長辺に設けられ、この端面から突出すると共に長辺の全長に亘って延在する突出部を有する第１連結部と、
上記足場板本体の他方の長辺に設けられ、短辺方向に隣接して配置される足場板の上記突出部が挿入されると共に長辺の全長に亘って延在する挿入穴を有する第２連結部と
を備えた足場板であって、
第１の上記足場板の第１連結部の突出部が、第２の上記足場板の第２の連結部の挿入穴に嵌合して上記第１の足場板と第２の足場板が連結され、
連結された上記第１の足場板と第２の足場板の間で、短辺方向のモーメント荷重が伝達されることを特徴とする足場板。
【請求項２】
請求項１に記載の足場板において、
上記第１連結部の突出部の先端に、上記足場板の表面側に突出した突起を有することを特徴とする足場板。
【請求項３】
請求項２に記載の足場板において、
上記第２連結部の挿入穴の縁に、上記挿入穴の内側に突出した突起を有することを特徴とする足場板。
【請求項４】
請求項１に記載の足場板において、
上記第１連結部の突出部の表面に、隣接して配置される足場板の第２連結部の挿入穴の縁部が係合する凹部を有することを特徴とする足場板。
【請求項５】
請求項１に記載の足場板において、
上記第２連結部が設けられた長辺の近傍に、この第２連結部の挿入穴内に挿入された上記第１連結部の突出部を上記挿入穴内から離脱不可に固定する固定機構が設けられていることを特徴とする足場板。
【請求項６】
請求項５に記載の足場板において、
上記固定機構は、上記足場板本体内の上記挿入穴の上側に設けられ、上記挿入穴に連通する連通穴が一部に形成された案内通路と、この案内通路内を移動可能かつ上記連通穴に挿通可能に形成された固定具とを有し、
上記第１連結部の突出部には、上記固定具が挿入可能な固定用挿入穴が形成され、
上記第２連結部の挿入穴内に上記第１連結部の突出部が挿入されたとき、この突出部の固定用挿入穴に、上記案内通路の連通穴内に挿通された固定具の先端部が挿入されることにより、この固定具で第１連結部の突出部と第２連結部の挿入穴とが係合されて固定されることを特徴とする足場板。
【請求項７】
請求項６に記載の足場板において、
上記固定機構の固定具が、上記足場板本体の表面に形成された操作穴を通して、上記連通穴に対する挿通と離脱が操作可能に形成されていることを特徴とする足場板。
【請求項８】
請求項１に記載の足場板において、
上記足場板本体の短辺に、隣接して配置される足場板の短辺と連結するための短辺連結部を備え、
上記短辺連結部は、
上記足場板本体の短辺の端面に形成された開口と、
上記開口から出没可能に形成された短辺連結体と、
上記足場板本体の内側に形成され、上記開口に連通して上記短辺連結体が通過すると共に、隣接した足場板の短辺連結部の短辺連結体が挿入される通路兼挿入室と、
上記通路兼挿入室の奥側に連なって上記短辺連結体を収容する収容室と、
上記通路兼挿入室に挿入された短辺連結体を固定する固定機構と
を有することを特徴とする足場板。
【請求項９】
請求項１に記載の足場板において、
上記足場板本体が、長辺方向に延びる複数の中空形材が短辺方向に配列され、かつ、互いに嵌合して形成されていることを特徴とする足場板。
【請求項１０】
請求項９に記載の足場板において、
上記足場板本体を形成する中空形材が、アルミニウム製の押出形材であることを特徴とする足場板。
【請求項１１】
請求項９に記載の足場板において、
上記足場板本体が、隣接する中空形材の間の嵌合長さが短辺方向に変更可能に形成され、かつ、上記短辺方向の嵌合長さが長辺方向の異なる位置で異なる長さに設定可能に形成されていることを特徴とする足場板。
【請求項１２】
請求項９に記載の足場板において、
上記中空形材の内側に、環状の支持金具が、上記足場板本体の表面に形成された金具穴から出没可能に収容されていることを特徴とする足場板。
【請求項１３】
請求項９に記載の足場板において、
上記第２連結部が設けられた長辺を形成する中空形材の内側に、上記第２連結部の挿入穴内に挿入された上記第１連結部の突出部を上記挿入穴内から離脱不可に固定する固定機構のアッセンブリブロックが、嵌合して収容されていることを特徴とする足場板。
【請求項１４】
請求項１に記載の足場板を用いた吊り足場の形成方法であって、
第１の上記足場板を水平に配置する工程と、
上記第１の足場板の第１連結部の突出部の上に、第２の上記足場板を、足場板本体の他方の長辺の端面を接して立設する工程と、
上記第２の足場板を、上記第１の足場板の第１連結部の突出部の上で回転させて倒すに伴い、上記第１の足場板の第１連結部の突出部の先端を、上記第２の足場板の第２連結部の挿入穴の内側に挿入する工程と、
上記第２の足場板を上記第１の足場板に引き寄せ、上記第２の足場板の足場板本体の端面を、上記第１の足場板の足場板本体の端面に密着させて、上記第２の足場板の第２連結部の挿入穴に上記第１の足場板の第１連結部の突出部を嵌合させる工程と
を備えることを特徴とする吊り足場の形成方法。
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
長辺と短辺を有する矩形の板状の足場板本体と、
上記足場板本体の一方の長辺に設けられ、この端面から突出すると共に長辺の全長に亘って延在する突出部を有する第１連結部と、
上記足場板本体の他方の長辺に設けられ、短辺方向に隣接して配置される足場板の上記突出部が挿入されると共に長辺の全長に亘って延在する挿入穴を有する第２連結部と
を備えた足場板であって、
隣り合う足場板の間で上記第１連結部と第２連結部が連結されたときに、上記第１連結部と第２連結部を介して上記隣り合う足場板の間で短辺方向にモーメント荷重が伝達されるように形成されており、
上記第２連結部が設けられた長辺の近傍に、この第２連結部の挿入穴内に挿入された上記第１連結部の突出部を上記挿入穴内から離脱不可に固定する固定機構が設けられており、
上記固定機構は、上記足場板本体内の上記挿入穴の上側に設けられ、上記挿入穴に連通する連通穴が一部に形成された案内通路と、この案内通路内を移動可能かつ上記連通穴に挿通可能に形成された固定具とを有し、
上記第１連結部の突出部には、上記固定具が挿入可能な固定用挿入穴が形成され、
上記第２連結部の挿入穴内に上記第１連結部の突出部が挿入されたとき、この突出部の固定用挿入穴に、上記案内通路の連通穴内に挿通された固定具の先端部が挿入されることにより、この固定具で第１連結部の突出部と第２連結部の挿入穴とが係合されて固定されることを特徴とする足場板。
【請求項２】
請求項１に記載の足場板において、
上記第１連結部の突出部の先端に、上記足場板の表面側に突出した突起を有することを特徴とする足場板。
【請求項３】
請求項２に記載の足場板において、
上記第２連結部の挿入穴の縁に、上記挿入穴の内側に突出した突起を有することを特徴とする足場板。
【請求項４】
請求項１に記載の足場板において、
上記第１連結部の突出部の表面に、隣接して配置される足場板の第２連結部の挿入穴の縁部が係合する凹部を有することを特徴とする足場板。
【請求項５】
請求項１に記載の足場板において、
上記固定機構の固定具が、上記足場板本体の表面に形成された操作穴を通して、上記連通穴に対する挿通と離脱が操作可能に形成されていることを特徴とする足場板。
【請求項６】
長辺と短辺を有する矩形の板状の足場板本体と、
上記足場板本体の一方の長辺に設けられ、この端面から突出すると共に長辺の全長に亘って延在する突出部を有する第１連結部と、
上記足場板本体の他方の長辺に設けられ、短辺方向に隣接して配置される足場板の上記突出部が挿入されると共に長辺の全長に亘って延在する挿入穴を有する第２連結部と
を備えた足場板であって、
隣り合う足場板の間で上記第１連結部と第２連結部が連結されたときに、上記第１連結部と第２連結部を介して上記隣り合う足場板の間で短辺方向にモーメント荷重が伝達されるように形成されており、
上記足場板本体の短辺に、隣接して配置される足場板の短辺と連結するための短辺連結部を備え、
上記短辺連結部は、
上記足場板本体の短辺の端面に形成された開口と、
上記開口から出没可能に形成された短辺連結体と、
上記足場板本体の内側に形成され、上記開口に連通して上記短辺連結体が通過すると共に、隣接した足場板の短辺連結部の短辺連結体が挿入される通路兼挿入室と、
上記通路兼挿入室の奥側に連なって上記短辺連結体を収容する収容室と、
上記通路兼挿入室に挿入された短辺連結体を固定する固定機構と
を有することを特徴とする足場板。
【請求項７】
請求項１に記載の足場板において、
上記足場板本体が、長辺方向に延びる複数の中空形材が短辺方向に配列され、かつ、互いに嵌合して形成されていることを特徴とする足場板。
【請求項８】
請求項７に記載の足場板において、
上記足場板本体を形成する中空形材が、アルミニウム製の押出形材であることを特徴とする足場板。
【請求項９】
請求項７に記載の足場板において、
上記足場板本体が、隣接する中空形材の間の嵌合長さが短辺方向に変更可能に形成され、かつ、上記短辺方向の嵌合長さが長辺方向の異なる位置で異なる長さに設定可能に形成されていることを特徴とする足場板。
【請求項１０】
請求項７に記載の足場板において、
上記中空形材の内側に、環状の支持金具が、上記足場板本体の表面に形成された金具穴から出没可能に収容されていることを特徴とする足場板。
【請求項１１】
請求項７に記載の足場板において、
上記第２連結部が設けられた長辺を形成する中空形材の内側に、上記第２連結部の挿入穴内に挿入された上記第１連結部の突出部を上記挿入穴内から離脱不可に固定する固定機構のアッセンブリブロックが、嵌合して収容されていることを特徴とする足場板。
【請求項１２】
請求項１に記載の足場板を用いた吊り足場の形成方法であって、
第１の上記足場板を水平に配置する工程と、
上記第１の足場板の第１連結部の突出部の上に、第２の上記足場板を、足場板本体の他方の長辺の端面を接して立設する工程と、
上記第２の足場板を、上記第１の足場板の第１連結部の突出部の上で回転させて倒すに伴い、上記第１の足場板の第１連結部の突出部の先端を、上記第２の足場板の第２連結部の挿入穴の内側に挿入する工程と、
上記第２の足場板を上記第１の足場板に引き寄せ、上記第２の足場板の足場板本体の端面を、上記第１の足場板の足場板本体の端面に密着させて、上記第２の足場板の第２連結部の挿入穴に上記第１の足場板の第１連結部の突出部を嵌合させる工程と
を備えることを特徴とする吊り足場の形成方法。